(57)【特許請求の範囲】
【請求項１】
先端部及び後端部を有するシャフトと、
前記シャフトを取り付けるための開口を含むホーゼル部を有するゴルフクラブヘッドと、
前記ホーゼル部の内部空間に配置され、前記シャフトの先端部が固定されるシャフト固定部材、前記ホーゼル部の開口に係合可能に構成され、前記シャフトの外周面を覆う筒状の係合部材、及び前記シャフトの外周面を覆う筒状に形成され、前記ホーゼル部の内部空間において、前記シャフト固定部材と前記係合部材との間に配置可能なインサート部材を含み、当該インサート部材に基づいて前記シャフトを拘束する軸方向の長さを調節可能に構成される第１調節機構と、
前記シャフトの後端部に連続して設けられ、前記シャフトの後端部に着脱可能な延長部材を含み、当該延長部材に基づいて前記シャフトの軸方向の長さを調節可能に構成される第２調節機構と、
を備え、
前記第２調節機構は、前記第１調節機構によって前記シャフトの先端部を拘束する軸方向の長さが増減した分だけ前記シャフトの軸方向の長さを増減可能に構成され、
前記延長部材の軸方向の長さは、前記インサート部材の軸方向の長さに対応するように構成され、
前記第１調節機構は、前記シャフト固定部材に前記係合部材が取り付けられた第１の態様と、前記シャフト固定部材と前記係合部材との間に前記インサート部材が配置される第２の態様と、を取り得るように構成され、
前記第２調節機構は、前記延長部材を前記シャフトの後端部から取り外した第１の態様と、前記延長部材を前記シャフトの後端部に取り付けた第２の態様と、を取り得るように構成されている、
付属品付きゴルフクラブ。
【請求項２】
前記延長部材の軸方向の長さは、前記インサート部材の軸方向の長さに対応するように構成され、
前記第１調節機構は、前記シャフト固定部材に前記係合部材が取り付けられた第１の態様と、前記シャフト固定部材と前記係合部材との間に前記インサート部材が配置される第２の態様と、を取り得るように構成され、
前記第２調節機構は、前記延長部材を前記シャフトの後端部から取り外した第１の態様と、前記延長部材を前記シャフトの後端部に取り付けた第２の態様と、を取り得るように構成されている、
請求項１に記載の付属品付きゴルフクラブ。
【請求項３】
前記第２調節機構は、軸方向の長さが相違する複数の前記延長部材を含み、
前記複数の延長部材の軸方向の長さの差分は、前記インサート部材の軸方向の長さに対応するように構成され、
前記第１調節機構は、前記シャフト固定部材に前記係合部材が取り付けられた第１の態様と、前記シャフト固定部材と前記係合部材との間に前記インサート部材が配置される第２の態様と、を取り得るように構成され、
前記第２調節機構は、前記複数の延長部材のうちの１つを選択的に前記シャフトの後端部に取り付けることで、前記シャフトの軸方向の長さを調節可能に構成されている、
請求項１に記載の付属品付きゴルフクラブ。
【請求項４】
前記第１調節機構は、軸方向の長さが相違する複数の前記インサート部材を含み、
前記延長部材の軸方向の長さは、前記複数のインサート部材の軸方向の長さの差分に対応するように構成され、
前記第１調節機構は、前記複数のインサート部材のうちの１つを選択的に前記シャフト固定部材と前記係合部材との間に配置することで、前記シャフトを拘束する軸方向の長さを調節可能に構成され、
前記第２調節機構は、前記延長部材を前記シャフトの後端部から取り外した第１の態様と、前記延長部材を前記シャフトの後端部に取り付けた第２の態様と、を取り得るように構成されている、
請求項１に記載の付属品付きゴルフクラブ。
【請求項５】
前記第１調節機構は、軸方向の長さが相違する複数の前記インサート部材を含み、
前記第２調節機構は、軸方向の長さが相違する複数の前記延長部材を含み、
前記複数の延長部材の軸方向の長さの差分は、前記複数のインサート部材の軸方向の長さの差分に対応するように構成され、
前記第１調節機構は前記複数のインサート部材のうちの１つを選択的に前記シャフト固定部材と前記係合部材との間に配置することで、前記シャフトを拘束する軸方向の長さを調節可能に構成され、
前記第２調節機構は、前記複数の延長部材のうちの１つを選択的に前記シャフトの後端部に取り付けることで、前記シャフトの軸方向の長さを調節可能に構成されている、
請求項１に記載の付属品付きゴルフクラブ。
【請求項６】
前記シャフトの後端部には、当該後端部側に開口する凹部が設けられ、
前記延長部材の一端部には、前記凹部に嵌合可能に形成される凸部が設けられている、
請求項１から５のいずれか１項に記載の付属品付きゴルフクラブ。
【請求項７】
前記シャフトは、前記後端部側に開口する中空部を有し、
前記シャフトの後端部には、前記中空部を径方向外方から囲う環状の外壁部が設けられ、
前記延長部材の一端部には、径方向外方から前記外壁部に嵌合可能に形成される外環部、及び当該外環部の径方向内方に配置され、前記シャフトの中空部に差し込むことのできる内環部、が設けられている、
請求項３又は５に記載の付属品付きゴルフクラブ。
【発明の詳細な説明】
【技術分野】
【０００１】
本発明は、ゴルフクラブに関する。
【背景技術】
【０００２】
近年、ユーザの要望に応じて、シャフトを交換できるゴルフクラブが提案されている。シャフトの交換は、長さの変更のほか、硬度の異なるシャフトに付け替えることで撓りを変更するために行われる。しかしながら、撓りの変更のためにシャフト自体を交換すると、コストが高くなるという問題がある。そこで、特許文献１には、シャフトを交換せず、硬度を変更することができるゴルフクラブが提案されている。
【０００３】
すなわち、特許文献１のゴルフクラブでは、ゴルフクラブヘッドのホーゼル部にシャフトをそのまま取り付ける第１の態様と、ホーゼル部の開口に筒状の延長部材を取り付けることで、ホーゼルの長さ（以下、「ホーゼル長」とも記載する）を長くした上で、シャフトを取り付ける第２の態様をとり得るように構成されている。これにより、ホーゼル長を変更することかできるので、シャフト自体を変更することなく、シャフトの撓りやすさを変更することができる。
【先行技術文献】
【特許文献】
【０００４】
【特許文献１】特許第５４４７１４１号公報
【発明の概要】
【発明が解決しようとする課題】
【０００５】
しかしながら、上記のようなゴルフクラブでは、延長部材を取り付けることによって、ヘッド本体のホーゼル部の上端からシャフトエンドの方にホーゼルを延ばすことで、シャフトの撓りやすさを変更する。そのため、ヘッド本体のホーゼル部の上端から上方の領域において、延長部材の長さの分だけ、シャフトとヘッドとを結合する部分（以下、「ネック」とも記載する）の長さが長くなってしまい、このネックの長さの変化がユーザに違和感を感じさせるという問題点があった。
【０００６】
本発明は、一側面では、このような点を考慮してなされたものであり、その目的は、ネックの長さを変更することなく、シャフトの撓りやすさを変更可能なゴルフクラブを提供することである。
【課題を解決するための手段】
【０００７】
本発明の一側面に係るゴルフクラブは、先端部及び後端部を有するシャフトと、前記シャフトを取り付けるための開口を含むホーゼル部を有するゴルフクラブヘッドと、前記ホーゼル部の内部空間に配置され、前記シャフトの先端部が固定されるシャフト固定部材、前記ホーゼル部の開口に係合可能に構成され、前記シャフトの外周面を覆う筒状の係合部材、及び前記シャフトの外周面を覆う筒状に形成され、前記シャフト固定部材と前記係合部材との間に配置可能なインサート部材を含み、当該インサート部材に基づいて前記シャフトを拘束する軸方向の長さを調節可能に構成される第１調節機構と、前記シャフトの後端部に連続して設けられ、前記シャフトの後端部に着脱可能な延長部材を含み、当該延長部材に基づいて前記シャフトの軸方向の長さを調節可能に構成される第２調節機構と、を備え、前記第２調節機構は、前記第１調節機構によって前記シャフトの先端部を拘束する軸方向の長さが増減した分だけ前記シャフトの軸方向の長さを増減可能に構成される。
【０００８】
当該構成に係るゴルフクラブでは、第１調節機構によって、シャフトの先端部を拘束する軸方向の長さが調節される。具体的には、ゴルフクラブヘッドのホーゼル部の開口に係合する係合部材とシャフトの先端部を固定する固定部材との間にインサート部材が配置可能に構成される。そのため、当該構成に係るゴルフクラブでは、ホーゼル部の開口と係合部材との位置関係を変えることなく、インサート部材の着脱又は長さの異なるインサート部材間の交換により、ホーゼル部にシャフトを挿入する深さを変えることができる。
【０００９】
すなわち、インサート部材の着脱又は長さの異なるインサート部材間の交換によっては、ホーゼル部の開口と係合部材との位置関係は変化しないため、ネックの長さは変化しない。一方で、インサート部材の着脱又は長さの異なるインサート部材間の交換により、ホーゼル部にシャフトを挿入する深さを変えることができるため、シャフトの先端部における拘束部分の長さを変化させることができる。このシャフトの先端部における拘束部分の長さは、シャフトの先端部における撓らない部分の長さに対応する。したがって、当該構成に係るゴルフクラブによれば、ネックの長さを変更することなく、シャフトの撓りやすさを変更することができる。
【００１０】
ただし、第１調節機構によってホーゼル部にシャフトを挿入する深さが変化すると、グリップエンドからゴルフクラブヘッドまでの長さ（以下、「クラブ長」とも称する）も変化する。このクラブ長の変化はユーザに違和感を感じさせる可能性がある。そこで、当該構成に係るゴルフクラブでは、第１調節機構によってホーゼル部にシャフトを挿入する深さが増減した分だけ、シャフトの軸方向の長さを増減可能な第２調節機構が設けられている。この第２調節機構によって、クラブ長を一定に保つことができるため、ユーザに違和感を感じさせることなく、シャフトの撓りやすさを変更可能なゴルフクラブを提供することができる。
【００１１】
また、上記一側面に係るゴルフクラブの別の形態として、前記延長部材の軸方向の長さは、前記インサート部材の軸方向の長さに対応するように構成されてもよく、前記第１調節機構は、前記シャフト固定部材に前記係合部材が取り付けられた第１の態様と、前記シャフト固定部材と前記係合部材との間に前記インサート部材が配置される第２の態様と、を取り得るように構成されてもよく、前記第２調節機構は、前記延長部材を前記シャフトの後端部から取り外した第１の態様と、前記延長部材を前記シャフトの後端部に取り付けた第２の態様と、を取り得るように構成されてもよい。
【００１２】
また、上記一側面に係るゴルフクラブの別の形態として、前記第２調節機構は、軸方向の長さが相違する複数の前記延長部材を含んでもよく、前記複数の延長部材の軸方向の長さの差分は、前記インサート部材の軸方向の長さに対応するように構成されてもよい。更に、前記第１調節機構は、前記シャフト固定部材に前記係合部材が取り付けられた第１の態様と、前記シャフト固定部材と前記係合部材との間に前記インサート部材が配置される第２の態様と、を取り得るように構成されてもよく、前記第２調節機構は、前記複数の延長部材のうちの１つを選択的に前記シャフトの後端部に取り付けることで、前記シャフトの軸方向の長さを調節可能に構成されてもよい。
【００１３】
また、上記一側面に係るゴルフクラブの別の形態として、前記第１調節機構は、軸方向の長さが相違する複数の前記インサート部材を含んでもよく、前記延長部材の軸方向の長さは、前記複数のインサート部材の軸方向の長さの差分に対応するように構成されてもよい。また、前記第１調節機構は、前記複数のインサート部材のうちの１つを選択的に前記シャフト固定部材と前記係合部材との間に配置することで、前記シャフトを拘束する軸方向の長さを調節可能に構成されてもよく、前記第２調節機構は、前記延長部材を前記シャフトの後端部から取り外した第１の態様と、前記延長部材を前記シャフトの後端部に取り付けた第２の態様と、を取り得るように構成されてもよい。
【００１４】
また、上記一側面に係るゴルフクラブの別の形態として、前記第１調節機構は、軸方向の長さが相違する複数の前記インサート部材を含んでもよく、前記第２調節機構は、軸方向の長さが相違する複数の前記延長部材を含んでもよい。更に、前記複数の延長部材の軸方向の長さの差分は、前記複数のインサート部材の軸方向の長さの差分に対応するように構成されてもよい。そして、前記第１調節機構は前記複数のインサート部材のうちの１つを選択的に前記シャフト固定部材と前記係合部材との間に配置することで、前記シャフトを拘束する軸方向の長さを調節可能に構成されてもよく、前記第２調節機構は、前記複数の延長部材のうちの１つを選択的に前記シャフトの後端部に取り付けることで、前記シャフトの軸方向の長さを調節可能に構成されてもよい。
【００１５】
また、上記一側面に係るゴルフクラブの別の形態として、当該後端部側に開口する凹部が設けられてもよく、前記延長部材の一端部には、前記凹部に嵌合可能に形成される凸部が設けられてもよい、
【００１６】
また、上記一側面に係るゴルフクラブの別の形態として、前記シャフトは、前記後端部側に開口する中空部を有し、前記シャフトの後端部には、前記中空部を径方向外方から囲う環状の外壁部が設けられてもよい。また、前記延長部材の一端部には、径方向外方から前記外壁部に嵌合可能に形成される外環部、及び当該外環部の径方向内方に配置され、前記シャフトの中空部に差し込むことのできる内環部、が設けられてもよい。
【００１７】
なお、インサート部材は、シャフトの外周面を覆う筒状の状態と、周方向に分割されシャフトの外周面から離脱する分割状態と、を取り得るように構成されてもよい。また、係合部材は、シャフトの軸方向に移動可能に構成されてもよい。そして、係合部材が第１の態様からシャフトに沿って軸方向に移動した後に、インサート部材を、シャフト固定部材と係合部材との間に配置することで、第２の態様が取られてもよい。
【発明の効果】
【００１８】
本発明によれば、ネックの長さを変更することなく、シャフトの撓りやすさを変更可能なゴルフクラブを提供することができる。
【図面の簡単な説明】
【００１９】
【図１】図１は、実施の形態に係るゴルフクラブの全体構造を例示する斜視図である。
【図２】図２は、実施の形態に係るゴルフクラブヘッドを例示する平面図である。
【図３】図３は、実施の形態に係るゴルフクラブヘッドとシャフトとの連結構造を例示する分解図である。
【図４】図４は、実施の形態に係るホーゼル部の内部空間を模式的に例示する断面図である。
【図５】図５は、実施の形態に係るシャフト固定部材を模式的に例示する正面図である。
【図６】図６は、実施の形態に係る係合部材を模式的に例示する正面図である。
【図７Ａ】図７Ａは、実施の形態に係るインサート部材（筒状の状態）を模式的に例示する正面図である。
【図７Ｂ】図７Ｂは、実施の形態に係るインサート部材（分割状態）を模式的に例示する斜視図である。
【図８】図８は、実施の形態に係る延長部材を模式的に例示する断面図である。
【図９】図９は、実施の形態に係るゴルフクラブの２つの態様におけるクラブ長の比較例を示す。
【図１０】図１０は、変形例に係るゴルフクラブの２つの態様におけるクラブ長の比較例を示す。
【図１１】図１１は、変形例に係るゴルフクラブの２つの態様におけるクラブ長の比較例を示す。
【図１２】図１２は、変形例に係るゴルフクラブの２つの態様におけるクラブ長の比較例を示す。
【図１３】図１３は、変形例に係るシャフト固定部材を模式的に例示する正面図である。
【図１４Ａ】図１４Ａは、変形例に係るインサート部材（筒状の状態）を模式的に例示する。
【図１４Ｂ】図１４Ｂは、変形例に係るインサート部材（分割状態）を模式的に例示する斜視図である。
【図１５】図１５は、変形例に係るインサート部材とシャフト固定部材との固定方法を例示する。
【図１６】図１６は、変形例に係る延長部材を例示する。
【図１７Ａ】図１７Ａは、延長部材をシャフトに取り付ける機構（延長部材を外した状態）の変形例を示す。
【図１７Ｂ】図１７Ｂは、延長部材をシャフトに取り付ける機構（延長部材を取り付けた状態）の変形例を示す。
【図１８Ａ】図１８Ａは、延長部材をシャフトに取り付ける機構の変形例を示す。
【図１８Ｂ】図１８Ｂは、変形例に係る延長部材を例示する。
【発明を実施するための形態】
【００２０】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。なお、以下の説明では、説明の便宜のため、図面内の向きを基準として説明を行う。
【００２１】
§１．ゴルフクラブの全体構造
まず、図１〜図３を用いて、ゴルフクラブの全体構造を説明する。図１は、本実施形態に係るゴルフクラブ１００の全体構造を例示する斜視図である。図２は、本実施形態に係るゴルフクラブヘッド１を例示する平面図である。また、図３は、シャフト２とゴルフクラブヘッド１との連結構造を例示する分解図である。
【００２２】
図１及び図２に例示されるように、本実施形態に係るゴルフクラブ１００は、シャフト２と、その端部（下端部２１）に連結されるゴルフクラブヘッド１（以下、単に「ヘッド」とも称する）とを備えている。図３に例示されるように、このシャフト２とゴルフクラブヘッド１とは、後述する第１調節機構（係合部材４、インサート部材５、シャフト固定部材６）を介して連結されている。また、シャフト２のグリップエンド２３１には、後述する第２調節機構（延長部材７）が連結可能に構成される。これによって、本実施形態では、クラブ長及びネック長を変更することなく、シャフトの撓りやすさを変更することができる。なお、クラブ長は、シャフト２のグリップエンド２３１側の端からヘッド１の底面までの概ねの長さを示すことができれば、厳密に定義されなくてもよい。クラブ長は、例えば、ゴルフ規則に規定される６０度法、ヒールエンド法等によって測定することができる。また、ネック長は、ホーゼル部３の上端（上端部３６）から係合部材４の上端（上端部４３）までの概ねの長さを示すことができれば、厳密に定義されなくてもよい。
【００２３】
シャフト２は、中空の筒状に形成されるシャフト本体２０と下端側に開口した筒状のグリップ２３と、を備えている。シャフト本体２０は、軸方向の両端に下端部２１及び上端部２２を有し、下端部２１から上端部２２にいくにしたがって外形が太くなるように構成されている。シャフト本体２０の下端部２１には、ゴルフクラブヘッド１が連結されている。また、図３に例示されるように、シャフト本体２０の上端部２２には、ゴム等で形成されたグリップ２３が固定されている。このグリップ２３のグリップエンド２３１には、後述する延長部材７が取り付け可能となっている。
【００２４】
シャフト本体２０の材料は、実施の形態に応じて適宜選択されてよく、例えば、ＣＦＲＰ（carbon fiber reinforced plastic）、スチール等が利用されてもよい。なお、シャフト本体２０の下端部２１は、本発明の「シャフトの先端部」に相当する。また、グリップエンド２３１は、本発明の「シャフトの後端部」に相当する。更に、このシャフト２（シャフト本体２０）の延びる方向は、本発明の「軸方向」に相当する。ただし、「軸方向」は、各部材の上端部と下端部とを結ぶ方向を示すことが可能であれば、厳密に定義されなくてもよい。
【００２５】
また、ゴルフクラブヘッド１は中空構造を有している。図１及び図２に例示されるように、このゴルフクラブヘッド１の外面は、フェース部１１、クラウン部１２、ソール部１３、サイド部１４、及びホーゼル部３によって形成されている。フェース部１１は、ゴルフボールを打つ面であるフェース面を有している。クラウン部１２は、フェース部１１と隣接し、ヘッド１の上面を構成する。ソール部１３は、ヘッド１の底面を構成し、フェース部１１及びサイド部１４と隣接する。また、サイド部１４は、クラウン部１２とソール部１３との間の部位であり、フェース部１１のトウ側からヘッド１のバック側を通ってフェース部１１のヒール側へと延びる部位である。
【００２６】
更に、ホーゼル部３は、クラウン部１２のヒール側に隣接して設けられる円筒状の部位であり、シャフト２を取り付けるための取付孔（開口）３１を有している。詳細には、当該取付孔３１には、シャフト２の先端部に固定される後述のシャフト固定部材６がシャフト２と共に差し込まれる。ホーゼル部３の内部構造については、後述で詳細に説明する。なお、本実施形態で説明されるヘッド１は、ドライバー（＃１）又はフェアウェイウッドといったウッド型であるが、そのタイプは限定されず、いわゆるユーティリティ型、ハイブリッド型、アイアン型等の種々のタイプであってもよい。
【００２７】
§２  シャフトとゴルフクラブヘッドとの連結構造（第１調節機構）
次に、図３及び図４〜図７Ｂを用いて、シャフト２とゴルフクラブヘッド１との連結構造について説明する。図３で例示されるように、シャフト本体２０の下端部２１はシャフト固定部材６により固定されている。シャフト固定部材６の上端側には係合部材４が配置されており、この係合部材４とシャフト固定部材６との間にはインサート部材５を配置することが可能になっている。これにより、シャフト本体２０の下端部２１を固定（拘束）する長さを延長することができる。
【００２８】
そして、インサート部材５及びシャフト固定部材６は、ホーゼル部３の取付孔３１に挿入可能に構成されているが、係合部材４は、ホーゼル部３の上端（取付孔３１の開口周縁）に係合するように構成されている。そのため、インサート部材５を取り付けた状態であってもそうでない状態であっても、係合部材４がホーゼル部３の上端に係合するまで、シャフト固定部材６を取付孔３１に差し込んで、シャフト本体２０の下端部２１をホーゼル部３の内部空間に挿入することができる。このとき、ワッシャ９３及び固定具９を用いて、シャフト固定部材６（及びインサート部材５）を、ホーゼル部３の内部空間に収容された状態で固定することができる。これにより、シャフト２（シャフト本体２０）とゴルフクラブヘッド１とは連結される。以下、この連結構造の各構成要素について説明する。
【００２９】
［ホーゼル部］
まず、図４を用いて、インサート部材５及びシャフト固定部材６が挿入されるホーゼル部３の内部空間を説明する。図４は、ホーゼル部３の内部空間を模式的に例示する断面図である。図４に例示されるように、本実施形態に係るホーゼル部３の内部空間は、上端部３６側から順に、第１径部３２と、第２径部３３と、第３径部３５と、で構成されている。
【００３０】
第１径部３２は、円筒状に形成されており、上端部３６側に開口している。また、第２径部３３は、第１径部３２と連続しており、当該第１径部３２よりもやや小径の円筒状に形成されている。第２径部３３の内周面には、後述するシャフト固定部材６の第２円筒部６２の外周面に形成される複数の突条６２１に対応する複数の溝条が設けられている（不図示）。本実施形態では、このような第１径部３２及び第２径部３３によって、上端部３６側に開口する取付孔３１が形成されている。
【００３１】
第２径部３３の下端側には円筒状の第３径部３５が配置されており、この第３径部３５と第２径部３３との間には隔壁３４１が設けられている。この隔壁３４１には、第２径部３３及び第３径部３５よりも小径で円状の開口部３４が設けられており、この開口部３４は上下方向に貫通している。そのため、隔壁３４１は円環状に形成され、第２径部３３と第３径部３５とはこの開口部３４を介して連通している。なお、第３径部３５は下端部３７側に開口している。これにより、ホーゼル部３の内部空間は、概ねシャフト２の軸方向と平行にヘッド１のサイド部１４側及びソール部１３側まで貫通している。
【００３２】
ゴルフクラブ１００を組み立てる際には、ホーゼル部３の第１径部３２及び第２径部３３には、上端部３６側からシャフト固定部材６（及びインサート部材５）が挿入される。シャフト固定部材６（及びインサート部材５）の上端側には係合部材４が配置されており、係合部材４の外径は第１径部３２よりも大径に形成されている。そのため、係合部材４の下端部４４がホーゼル部３の上端（上端部３６）に係合するまで、シャフト固定部材６（及びインサート部材５）を軸方向下方に挿入することができる。一方、第３径部３５には、下端部３７側からワッシャ９３及びネジ状の固定具９が挿入される。この固定具９とシャフト固定部材６とはネジ締結される。これにより、シャフト２とゴルフクラブヘッド１とは、取り外し可能に固定される。
【００３３】
なお、図３に例示されるように、固定具９は、頭部９１と、当該頭部９１に連結されるネジ部９２と、で形成されている。ネジ部９２は、開口部３４に挿通して下端部３７側から第２径部３３に到達できるように、開口部３４の径よりも小径に形成される。一方、固定具９全体が開口部３４を通過してしまわないように、頭部９１の外径は、開口部３４の径よりも大径に形成される。そして、この頭部９１には、レンチが挿入される矩形状の凹部が形成されている（不図示）。そのため、ユーザは、当該凹部にレンチを嵌めて操作することで、ゴルフクラブヘッド１とシャフト２とを固定したり、取り外したりすることができる。
【００３４】
［シャフト固定部材］
次に、図５を用いて、本実施形態に係るシャフト固定部材６を説明する。図５は、本実施形態に係るシャフト固定部材６を模式的に例示する正面図である。図５で例示されるように、本実施形態に係るシャフト固定部材６は、軸方向（図の上下方向）の両端に上端部６５と下端部６６とを有している。そして、シャフト固定部材６は、上端部６５側から順に、凸部６７、第１円筒部６１、及び第２円筒部６２を備えている。
【００３５】
第１円筒部６１は、ホーゼル部３の第１径部３２に挿通する部分である。第１円筒部６１の外径は、ホーゼル部３の第２径部３３の内径よりも大径で、かつ、ホーゼル部３の第１径部３２に挿通可能な程度に形成されている。そのため、後述する係合部材４を考慮しなかった場合には、シャフト固定部材６は、第１円筒部６１の下端部６６側の端面６１１が第１径部３２と第２径部３３との間に形成される段差部分に当接するまで、ホーゼル部３の内部空間に挿入することができる。
【００３６】
この第１円筒部６１の下端側に配置される第２円筒部６２は、ホーゼル部３の第２径部３３に挿通する部分である。そのため、第２円筒部６２の外径は、第１円筒部６１の外径よりも小径で、かつ、ホーゼル部３の第２径部３３に挿通可能な程度に形成される。そして、第２円筒部６２の外周面には軸方向に延びる複数の突条６２１が形成されており、これら複数の突条６２１は、ホーゼル部３の第２径部３３の内周面に形成される溝条に対応している。
【００３７】
そのため、ホーゼル部３の取付孔３１にシャフト固定部材６を軸方向に沿って挿入させたときには、シャフト固定部材６の第２円筒部６２に形成される複数の突条６２１とホーゼル部３の第２径部３３に形成される複数の溝条とが係合する。これによって、シャフト固定部材６とホーゼル部３とが軸回り（周方向）に回転不能に連結する。なお、ここでいう「連結」とは少なくとも両者が動かないように接していればよく、両者が外力を加えても分離しないことまでは要求されない。以下で用いる「連結」についても同様である。
【００３８】
また、第１円筒部６１の上端側には、上方へ突出する円筒状の凸部６７が形成されている。この凸部６７の外径は、第１円筒部６１の外径よりも小径に形成されている。そして、凸部６７の外周面には、後述する係合部材４の凹部４２及びインサート部材５の凹部５４と連結するための雄ネジ部が形成されている。
【００３９】
また、シャフト固定部材６は、上下方向に沿って延びる外形を有しており、凸部６７の上端から第１円筒部６１の下端付近までの領域に、上端部７５側に開口するシャフト用凹部６３を備えている。シャフト用凹部６３は、上下方向に沿って延びる円筒状の内周面を有している。このシャフト用凹部６３には、シャフト本体２０の下端部２１が挿入される。そして、シャフト本体２０は、接着剤等の固定手段によって、シャフト用凹部６３に固定される。これにより、シャフト２の軸心Ｓ（図１及び図２参照）は、シャフト用凹部６３の延びる方向（図５の上下方向）に沿って延びるように固定される。なお、シャフト本体２０を固定する接着剤は、特に限定されなくてもよく、実施の形態に応じて適宜選択されてよい。
【００４０】
更に、シャフト固定部材６は、ほぼ第２円筒部６２の存在する領域に、下端部６６側に開口する固定具用凹部６４を備えている。固定具用凹部６４の内径は固定具９のネジ部９２の外径に対応しており、その内周面には、ネジ部９２の外周面に形成された雄ネジ（不図示）が螺合する雌ネジ（不図示）が形成されている。そのため、ホーゼル部３の取付孔３１にシャフト固定部材６を挿入した後に、ホーゼル部３の下端部３７側から内部空間に固定具９を挿入して、固定具９のネジ部９２をシャフト固定部材６の固定具用凹部６４に螺合させることで、固定具９とシャフト固定部材６とをネジ締結することができる。
【００４１】
［係合部材］
次に、図６を用いて、本実施形態に係る係合部材４を説明する。図６は、本実施形態に係る係合部材４を模式的に例示する正面図である。図６で例示されるように、本実施形態に係る係合部材４は、シャフト本体２０の外周面を覆うことができるように円筒状に形成されており、シャフト固定部材６の凸部６７又は後述するインサート部材５の凸部５１に取り付けられる。
【００４２】
係合部材４は、上端部４３側及び下端部４４側共に開口し、上下方向に貫通する円柱状の貫通孔４１を備えている。貫通孔４１の上端部４３側の領域の内径はシャフト本体２０が挿通可能な程度に形成されている。一方、貫通孔４１の下端部４４側には、この上端部４３側の領域よりも内径の大きい円柱状の凹部４２が形成されている。
【００４３】
この凹部４２には、シャフト固定部材６の凸部６７及び後述するインサート部材５の凸部５１が嵌まり込む。そのため、この凹部４２の内径は、両凸部（５１、６７）が挿通可能な程度に形成される。なお、この凹部４２の内周面には、各凸部（５１、６７）に形成される雄ネジ部と螺合する雌ネジ部が形成されている。
【００４４】
一方、係合部材４の外周面４５は、下端部４４側にいくにしたがってその外径が拡がるようなテーパ状に形成されている。そして、係合部材４の下端における外周面４５の外径は、ホーゼル部３の第１径部３２の内径よりも大径に形成される。これにより、係合部材４はホーゼル部３の第１径部３２に嵌まり込まず、係合部材４の下端部４４側の端面４４１がホーゼル部３の上端部３６（開口周縁）に係合する。
【００４５】
この係合部材４は、予めシャフト本体２０に挿通される。すなわち、シャフト本体２０の下端部２１にシャフト固定部材６を装着する前に係合部材４がシャフト本体２０に挿通され、その後、シャフト本体２０の下端部２１にシャフト固定部材６を装着して固定する。そのため、係合部材４は、後述するインサート部材５を考慮しなければ、凹部４２の雌ネジ部とシャフト固定部材６の凸部６７の雄ネジ部とを螺合させていない限り、シャフト本体２０に沿って軸方向に移動可能となっている。
【００４６】
［インサート部材］
次に、図７Ａ及び図７Ｂを用いて、インサート部材５について説明する。図７Ａは、筒状の状態にあるインサート部材５を模式的に例示する正面図である。また、図７Ｂは、分割状態にあるインサート部材５を模式的に例示する斜視図である。
【００４７】
インサート部材５は、シャフト本体２０に取り付けられたときに係合部材４とシャフト固定部材６との間に配置されるものであり、係合部材４よりも軸方向の長さが長くなるように構成することができる。ただし、インサート部材５の軸方向の長さは、このような例に限定されなくてもよく、実施の形態に応じて適宜決定されてよい。図７Ａに例示されるように、インサート部材５は、シャフト本体２０の外周面を覆うことができるように円筒状に形成されており、上端部５５側から順に、凸部５１と本体部５２とを備えている。
【００４８】
凸部５１は、上記のとおり、係合部材４の凹部４２に嵌まり込む部分であり、シャフト固定部材６の凸部６７と同様に構成される。すなわち、凸部５１は円筒状に形成され、凸部５１の外周面には凹部４２の雌ネジ部に螺合する雄ネジ部が形成されている。
【００４９】
一方、本体部５２は、インサート部材５がシャフト本体２０に取り付けられたときに、ホーゼル部３の第１径部３２に挿通する部分であり、シャフト固定部材６の第１円筒部６１と同様に構成される。すなわち、本体部５２は円筒状に形成され、本体部５２の外径は、第１円筒部６１の外径とほぼ同じで、ホーゼル部３の第１径部３２に挿通可能な程度に形成されている。
【００５０】
この本体部５２は、係合部材４とシャフト固定部材６との間にインサート部材５を配置したときにシャフト本体２０の下端部２１を固定する長さを延長する部分に相当する。そのため、この本体部５２の軸方向の長さは、インサート部材５を装着したときにシャフト本体２０の下端部２１を拘束する軸方向の長さが増加した分に相当する。
【００５１】
このインサート部材５は、上端部５５側及び下端部５６側共に開口しており、上下方向に貫通する円柱状の貫通孔５３を備えている。係合部材４の貫通孔４１と同様に、貫通孔５３の上端部５５側の領域の内径はシャフト本体２０が挿通可能な程度に形成されている。一方、貫通孔５３の下端部５６側には、この上端部５５側の領域よりも内径の大きい円柱状の凹部５４が形成されている。
【００５２】
この凹部５４は、係合部材４の凹部４２とほぼ同様に構成される。係合部材４とシャフト固定部材６との間にインサート部材５を配置したときには、この凹部５４には、シャフト固定部材６の凸部６７が嵌まり込む。そのため、凹部５４の内径はこの凸部６７が挿通可能な程度に形成され、凹部５４の内周面には、凸部６７に形成される雄ネジ部と螺合可能な雌ネジ部が形成されている。
【００５３】
したがって、インサート部材５の凹部５４（雌ネジ部）とシャフト固定部材６の凸部６７（雄ネジ部）とを螺合させ、インサート部材５の凸部５１（雄ネジ部）と係合部材４の凹部４２（雌ネジ部）とを螺合させることができる。そして、これにより、係合部材４とシャフト固定部材６との間にインサート部材５を配置するとともに、インサート部材５をシャフト本体２０に取り付けることができる。
【００５４】
ここで、シャフト本体２０の下端部２１は、シャフト固定部材６のシャフト用凹部６３に挿入されて固定されている。すなわち、シャフト固定部材６のシャフト用凹部６３は、下端部２１から上方の一領域を拘束している。また、係合部材４は、貫通孔４１によってシャフト本体２０の外周面を覆うことで、シャフト本体２０を拘束する。更に、インサート部材５は、貫通孔５３によってシャフト本体２０の外周面を覆うことで、シャフト本体２０を拘束する。
【００５５】
そのため、シャフト固定部材６の凸部６７に係合部材４を取り付けた場合には、シャフト固定部材６のシャフト用凹部６３及び係合部材４の軸方向の長さの分だけ、シャフト本体２０の下端部２１は軸方向に拘束されることになる。一方、インサート部材５をシャフト本体２０に取り付けた場合には、シャフト本体２０の下端部２１は、このインサート部材５の軸方向の長さの分だけ、軸方向に更に拘束されることになる。したがって、本実施形態では、インサート部材５を着脱することによって、シャフト本体２０を拘束する部分の軸方向の長さを調節することができる。すなわち、本実施形態では、係合部材４、インサート部材５、及びシャフト固定部材６によって、シャフト２を拘束する軸方向の長さを調節可能な第１調節機構が構成される。
【００５６】
また、このインサート部材５は、図７Ｂに例示されるように、周方向に２つに分割可能となっている。より詳細には、断面円弧状の２つのインサート片５０を組み合わせることで、円筒状のインサート部材５を形成するようになっている。なお、インサート片５０同士を固定するように構成することもできる。例えば、一方のインサート片５０に凸部、他方のインサート片５０に凹部を設け、これらを係合させてもよい。または、一方のインサート片５０にキー溝、他方のインサート片５０にキーを設け、これらを係合させてもよい。両インサート片５０を固定する方法は、特に限定されていなくてもよく、実施の形態に応じて適宜選択されてよい。なお、インサート部材５の具体的な着脱方法については、後述する。
【００５７】
なお、係合部材４、インサート部材５、及びシャフト固定部材６の材料はそれぞれ、実施の形態に応じて適宜選択されてもよく、例えば、金属、樹脂、ＦＲＰ等が利用されてもよい。また、係合部材４は、一般にソケット、フェルール、フェラル等と呼ばれる装飾用部材を兼ねるように構成してもよい。
【００５８】
§３  シャフトの長さの延長機構（第２調節機構）
次に、図８を用いて、本実施形態に係るシャフト２の長さの延長機構（第２調節機構）について説明する。図８は、本実施形態に係る延長部材７とシャフト２の後端部とを模式的に例示する断面図である。図８に例示されるように、シャフト２のグリップエンド２３１には、円柱状の凹部２４が設けられている。図８に例示されるように、この凹部２４の内周面は、グリップ２３よりも硬質の樹脂、金属等のコーティング部材２４０に覆われていてもよく、このコーティング部材の内周面には雌ネジ部が形成されてもよい。
【００５９】
一方、延長部材７は、上端部側から、本体部７１及び凸部７２を備えている。本体部７１の外径は、シャフト２のグリップエンド２３１に延長部材７を取り付けたときにシャフト２と延長部材７との外形が連続するように、グリップエンド２３１付近におけるグリップ２３の外径とほぼ同様に構成されている。また、凸部７２は、シャフト２の凹部２４に対応する円柱状に形成されており、当該凹部２４の雌ネジ部に螺合する雄ネジ部が凸部７２の外周面に形成されている。なお、延長部材７の材料は、実施の形態に応じて適宜選択されてよい。例えば、延長部材７は、ゴム、樹脂等で形成されてもよい。また、この凸部７２の外周面は、凹部２４と同様に、延長部材７の材料よりも硬質の樹脂、金属等でコーティングされてもよい。
【００６０】
したがって、本実施形態では、シャフト２の凹部２４（雌ネジ部）に延長部材７の凸部７２（雄ネジ部）を螺合させることで、シャフト２のグリップエンド２３１に延長部材７を取り付けることができる。これによって、シャフト２の軸方向の長さは、延長部材７（本体部７１）の軸方向の長さの分だけ増加する。よって、本実施形態では、この延長部材７を着脱することによって、シャフト２の軸方向の長さを調節することができる。すなわち、本実施形態では、この延長部材７によって、シャフト２の軸方向の長さを調節可能な第２調節機構が構成される。なお、本実施形態では、雄ネジ部及び雌ネジ部によって、シャフト２と延長部材７とが着脱可能に構成される。しかしながら、シャフト２及び延長部材７の着脱機構は、このような例に限定されなくてもよく、実施の形態に応じて適宜選択されてよい。
【００６１】
§４  使用方法
次に、図９を用いて、上記のように構成された各調節機構の使用方法を説明する。本実施形態に係る第１調節機構は、シャフト固定部材６にそのまま係合部材４を取り付けた、換言すると、インサート部材５を取り付けていない第１の態様と、シャフト固定部材６と係合部材４との間にインサート部材５を配置した第２の態様とを取ることができる。同様に、本実施形態に係る第２調節機構は、シャフト２のグリップエンド２３１に延長部材７を取り付けていない、換言すると、シャフト２のグリップエンド２３１から延長部材７を取り外した第１の態様と、シャフト２のグリップエンド２３１に延長部材７を取り付けた第２の態様とを取ることができる。図９は、両調節機構においてそれぞれ第１の態様及び第２の態様の２つの態様におけるクラブ長の比較例を示す。
【００６２】
図９（ａ）では、第１調節機構及び第２調節機構共に第１の態様を取っている。この態様では、係合部材４をシャフト固定部材６に固定する。ここで、係合部材４はシャフト本体２０に挿通されており、シャフト固定部材６はシャフト本体２０の下端部２１に固定されている。そのため、係合部材４をシャフト本体２０に沿って移動させて、係合部材４の凹部４２をシャフト固定部材６の凸部６７に螺合させることで、係合部材４をシャフト固定部材６に固定することができる。また、この態様では、シャフト２のグリップエンド２３１に延長部材７が取り付けられている場合には、シャフト２のグリップエンド２３１から延長部材７を取り外す。
【００６３】
この状態では、係合部材４とシャフト固定部材６とによって拘束されている下端部２１側の部分（長さＢ１＋Ｂ２）は、ユーザのスイング時に撓りをもたらさない。そのため、シャフト２において、係合部材４の上端部４３（ネック端面）からシャフト２のグリップエンド２３１までの範囲（長さＬ１）が、ユーザのスイング時に撓りをもたらす範囲、換言すると、シャフト２の撓りに関与する範囲となる。具体的には、シャフト本体２０の上端部２２より上方及びユーザが握る部分は撓らない。そのため、ユーザがこのゴルフクラブ１００のグリップ２３を握ってスイングした際には、シャフト２において、係合部４の上端部４３からユーザが握る範囲の端までの範囲が撓る。
【００６４】
続いて、図９（ｂ）に例示される第２の態様について説明する。第１調節機構において第１の態様から第２の態様へ移行するには、まず、係合部材４をシャフト固定部材６から取り外す。次に、係合部材４をシャフト本体２０に沿って移動させ、シャフト固定部材６から離間させる。そして、図９（ｂ）に例示されるように、インサート部材５をシャフト本体２０に取り付ける。
【００６５】
ここで、インサート部材５をシャフト本体２０に取り付けるためには、まず、一対のインサート片５０をシャフト本体２０の外周で、円筒状になるように組み合わせて、インサート部材５を形成する。このとき、両インサート片５０を配置する軸方向の位置は、シャフト固定部材６と係合部材４との間である。次に、インサート部材５の下端部５６側の凹部５４（雌ネジ部）をシャフト固定部材６の凸部６７（雄ネジ部）に螺合する。これにより、インサート部材５とシャフト固定部材６とが固定される。そして最後に、係合部材４の凹部４２（雌ネジ部）をインサート部材５の上端部５５側の凸部５１（雄ネジ部）に螺合する。これによって、第１調節機構は第２の態様に移行する。
【００６６】
また、第２調節機構において第１の態様から第２の態様へ移行するには、シャフト２のグリップエンド２３１に延長部材７を取り付ける。シャフト２のグリップエンド２３１に設けられた凹部２４（雌ネジ部）に延長部材７の凸部７２（雄ネジ部）を螺合することで、シャフト２のグリップエンド２３１に延長部材７を取り付けることができる。
【００６７】
この状態では、インサート部材５（長さＤ）を取り付けた分だけ、ホーゼル部３にシャフト２（シャフト本体２０）を挿入する深さが長くなる。そのため、係合部材４の上端部４３からシャフト２のグリップエンド２３１までの長さＬ２は、第１の態様の長さＬ１よりもＤだけ短くなっている。すなわち、インサート部材５を取り付けると、インサート部材５の長さＤの分だけ、クラブ長が短くなってしまう。
【００６８】
そこで、本実施形態では、シャフト２のグリップエンド２３１に延長部材７を取り付けることにより、シャフト２の軸方向の長さを延長する。具体的には、延長部材７の軸方向の長さＡがインサート部材５の軸方向の長さＤに対応するように長さＡと長さＤとを同じにすることで、係合部材４の上端部４３からシャフト２のグリップエンド２３１側の端までの長さを第１の態様と第２の態様とで一定に保つことができる。係合部材４の上端部４３からシャフト２のグリップエンド２３１側の端までの長さが同じであれば、第１の態様と第２の態様とでネック長及びヘッド１の大きさは同じであるため、クラブ長も同じになる。したがって、本実施形態によれば、インサート部材５の長さに対応する長さを有する延長部材７を利用することで、クラブ長を一定に保つことができる。
【００６９】
また、この状態では、係合部材４、インサート部材５、及びシャフト固定部材６によって拘束されている先端部２１側の部分（Ｂ１＋Ｂ２＋Ｄ）は、ユーザのスイング時に撓りをもたらさない。つまり、シャフト２の先端部において、インサート部材５の軸方向の長さＤの分だけ、第１の態様と比べて、ユーザのスイング時に撓りをもたらさない部分が増加している。ただし、シャフト２のグリップエンド２３１に取り付けられる延長部材７の長さＡは、インサート部材５の長さＤと同じである。そのため、シャフト２の後端側から同一の範囲をユーザが握ると仮定すると、シャフト２の撓りに関与する部分の長さは、第１の態様と第２の態様とで一定になっている。
【００７０】
しかしながら、シャフト２の撓りに関与する部分の長さを一定に保ったとしても、次の理由により、シャフト２の撓りやすさは変化する。すなわち、シャフト２は、その構成方法によって、先端部から後端部にかけて曲げ剛性が変化するように形成される。一般的には、シャフト本体２０は、上端部２２側よりも下端部２１側が曲がりやすいように構成される。そして、図９に例示されるように、第１の態様と第２の態様とで比較した場合に、シャフト２の撓りに関与する部分の長さは一定に保たれているが、シャフト２の撓りに関与する部分は軸方向に沿ってシフトする。そのため、シャフト２の撓りに関与する部分の長さに変化しなくても、シャフト２の先端部側と後端部側とで曲げ剛性が異なるため、シャフト２の撓りやすさは変化する。したがって、本実施形態によれば、シャフト２の先端部における拘束範囲の長さを変えることで、シャフト２の撓りやすさを変化させることができる。具体的には、シャフト２の先端部における拘束範囲が長くなっている分だけ、第２の態様に係るゴルフクラブ１００は、第１の態様に比べて撓り難くなっている。
【００７１】
更に、第２の態様では、第１の態様に比べて、スイング時に撓りをもたらさない部分が増加しているものの、ホーゼル部３の上端部３６から係合部材４の上端部までのネック長（Ｂ１）は変化していない。したがって、本実施形態によれば、ネック長を変更することなく、シャフト２の撓りやすさを変更することができる。
【００７２】
以上により、本実施形態によれば、ネック長及びクラブ長を変化させることなく、シャフト２の撓りやすさを変更することができる。よって、ネック長及びクラブ長の変化に起因する違和感をユーザに感じさせることなく、シャフト２の撓りやすさを変更することができる。なお、インサート部材５は、１種類だけではなく、軸方向の長さの異なる複数種類を用意してもよい。また、これに応じて、延長部材７も、軸方向の長さの異なる複数種類を用意してもよい。これによって、シャフト２の撓りやすさを段階的に変化することができる。
【００７３】
なお、ホーゼル部３の内部空間に挿入される長さが比較的に短くなる第１の態様を選択した場合であっても、シャフト固定部材６の第２円筒部６２はホーゼル部３の第２径部３３に到達するように構成されている。そのため、この場合であっても、シャフト固定部材６の第２円筒部６２に形成される複数の突条６２１をホーゼル部３の第２径部３３に形成される複数の溝条に係合させて、シャフト固定部材６をホーゼル部３に軸回りに回転不能に連結することができる。そして、この場合に、下端部３７側から挿入した固定具９のネジ部９２がシャフト固定部材６の固定具用凹部６４の雌ネジ部に螺合するように構成されている。よって、シャフト２とヘッド１とを適切に固定することができる。
【００７４】
また、ホーゼル部３の内部空間に挿入される長さが比較的に長くなる第２の態様を選択した場合であっても、シャフト固定部材６の下端部６６がホーゼル部３の第２径部３３の下端に到達しないように構成されている。また、この場合に、シャフト固定部材６の第１円筒部６１と第２円筒部６２との間の端面６１１がホーゼル部３の第１径部３２と第２径部３３との間の段差部分に到達しないように構成されている。そのため、ホーゼル部３の内部空間に挿入される長さが比較的に長くなる第２の態様を選択した場合であっても、係合部材４の下端部４４（端面４４１）から下方の部分は全てホーゼル部３の内部空間に収容される。
【００７５】
§５  変形例
以上、本発明の実施形態を説明してきたが、前述までの説明はあらゆる点において本発明の例示に過ぎない。本発明の範囲を逸脱することなく種々の改良や変形を行うことができることは言うまでもない。例えば、上記ゴルフクラブ１００の各構成要素に関して、実施の形態に応じて、適宜、構成要素の省略、置換、及び追加が行われてもよい。また、上記ゴルフクラブ１００の各構成要素の形状及び大きさも、実施の形態に応じて、適宜、設定されてよい。例えば、以下の変更が可能である。なお、説明の便宜のため、以下で説明する変形例の各構成要素に関して、上記実施形態と同様に構成される構成要素については、上記実施形態と同じ符号を利用した。また、上記実施形態と同様の内容に関しては適宜省略する。
【００７６】
＜５．１＞
例えば、上記実施形態では、第１調節機構は、インサート部材５を利用する態様（第２の態様）と利用しない態様（第１の態様）とで、シャフト２を拘束する軸方向の長さを調節した。しかしながら、第１調節機構の調節方法は、このような例に限定されなくてもよく、例えば、軸方向の長さの異なる複数のインサート部材５を用いることで、シャフト２を拘束する軸方向の長さを調節してもよい。以下、図１０を用いて、２つのインサート部材（５Ａ、５Ｂ）を利用する例を説明する。ただし、インサート部材５の数は、２つに限定されなくてもよく、３つ以上であってもよい。なお、両インサート部材（５Ａ、５Ｂ）は、本体部５２の軸方向の長さが相違する以外は、上記実施形態のインサート部材５と同様に構成されている。
【００７７】
図１０は、本変形例に係る２つの態様におけるクラブ長の比較例を示す。この場合、本変形例に係る第１調節機構は、比較的に軸方向の長さの短いインサート部材５Ａ（長さＤ１）を取り付けた第１の態様と、比較的に軸方向の長さの長いインサート部材５Ｂ（長さＤ２）を取り付けた第２の態様とを取ることができる。
【００７８】
図１０（ａ）では、第１調節機構及び第２調節機構共に第１の態様を取っている。第１調節機構が第１の態様を取るには、上述の取付方法で、比較的に軸方向の長さの短いインサート部材５Ａをシャフト本体２０に取り付ければよい。この状態では、シャフト２において、係合部材４の上端部４３からシャフト２のグリップエンド２３１までの範囲（長さＬ３）が、ユーザのスイング時に撓りをもたらす範囲、換言すると、シャフト２の撓りに関与する範囲となる。
【００７９】
一方、図１０（ｂ）では、第１調節機構及び第２調節機構共に第２の態様を取っている。第１調節機構において第１の態様から第２の態様へ移行するためには、比較的に軸方向の長さの短いインサート部材５Ａをシャフト２から取り外し、比較的に軸方向の長さの長いインサート部材５Ｂをシャフト本体２０に取り付ければよい。この状態では、シャフト２において、係合部材４の上端部４３からシャフト２のグリップエンド２３１までの部分の長さＬ４は、第１の態様における長さＬ３に比べて、インサート部材５Ａの軸方向の長さＤ１とインサート部材５Ｂの軸方向の長さＤ２との差分Ｄ３だけ短くなっている。一方で、シャフト２のグリップエンド２３１に延長部材７が取り付けられることにより、シャフト２の軸方向の長さは、延長部材７の軸方向の長さＡの分だけ長くなっている。そのため、本実施形態では、延長部材７の軸方向の長さＡが両インサート部材（５Ａ、５Ｂ）の軸方向の長さの差分Ｄ３に対応するように、長さＡと差分Ｄ３とを同じにすることで、第１の態様と第２の態様とでクラブ長を一定に保つことができる。
【００８０】
ここで、延長部材７の長さと両インサート部材（５Ａ、５Ｂ）の差分Ｄ３とが同じであるため、第１の態様と第２の態様とで撓りに関与する部分の長さは同じである。しかしながら、上記実施形態と同様の原理により、第２の態様に係るゴルフクラブ１００は、シャフト本体２０の下端部２１における拘束部分の長さがＤ３だけ長くなっているため、第１の態様に比べて撓り難くなっている。なお、上記実施形態と同様の原理により、第１の態様と第２の態様とでネック長も一定に保たれている。
【００８１】
＜５．２＞
また、例えば、上記実施形態では、第２調節機構は、延長部材７を利用する態様（第２の態様）と利用しない態様（第１の態様）とで、シャフト２の軸方向の長さを調節した。しかしながら、第２調節機構の調節方法は、このような例に限定されなくてもよく、例えば、軸方向の長さの異なる複数の延長部材７を用いることで、シャフト２の軸方向の長さを調節してもよい。以下、図１１及び図１２を用いて、２つの延長部材（７Ａ、７Ｂ）を利用する例を説明する。ただし、延長部材７の数は、２つに限定されなくてもよく３つ以上であってもよい。なお、両延長部材（７Ａ、７Ｂ）は、本体部７１の軸方向の長さが相違する以外は、上記実施形態に係る延長部材７と同様に構成されている。
【００８２】
ここで、第２調節機構の調節方法に問わず、第１調節機構の調節方法として、上記実施形態の方法及び上記変形例＜５．１＞の方法のいずれを採用してもよい。図１１は、第１調節機構が上記実施形態と同様の方法を採用する例を示す。一方、図１２は、第１調節機構が上記変形例＜５．１＞の方法を採用する例を示す。
【００８３】
まず、第１調節機構が上記実施形態と同様の方法を採用する例を説明する。図１１は、本変形例に係る２つの態様におけるクラブ長の比較例を示す。この場合、本変形例に係る第２調節機構は、比較的に軸方向の長さの短い延長部材７Ａ（長さＡ１）を取り付けた第１の態様と、比較的に軸方向の長さの長い延長部材７Ｂ（長さＡ２）を取り付けた第２の態様とを取ることができる。
【００８４】
図１１（ａ）では、第１調節機構及び第２調節機構共に第１の態様を取っている。第２調節機構が第１の態様を取るには、上述の取付方法で、比較的に軸方向の長さの短い延長部材７Ａをシャフト２のグリップエンド２３１に取り付ければよい。この状態では、係合部材４の上端部４３からシャフト２のグリップエンド２３１側の端までの長さは（Ｌ１＋Ａ１）になっている。なお、ユーザのスイング時に撓りをもたらす範囲は、上記実施形態と同様に、係合部材４の上端部４３からシャフト２のグリップエンド２３１までの範囲（長さＬ１）である。
【００８５】
一方、図１１（ｂ）では、第１調節機構及び第２調節機構共に第２の態様を取っている。第２調節機構において第１の態様から第２の態様へ移行するためには、比較的に軸方向の長さの短い延長部材７Ａをシャフト２のグリップエンド２３１から取り外し、比較的に軸方向の長さの長い延長部材７Ｂをシャフト２のグリップエンド２３１に取り付ければよい。この状態では、シャフト２において、係合部材４の上端部４３からシャフト２のグリップエンド２３１までの部分の長さＬ２は、第１の態様における長さＬ１に比べて、インサート部材５の軸方向の長さＤの分だけ短くなっている。一方、シャフト２のグリップエンド２３１に比較的に軸方向の長さの長い延長部材７が取り付けられることにより、シャフト２の軸方向の長さは、第１の態様と比べて、延長部材７Ａの長さＡ１と延長部材７Ｂの長さＡ２との差分Ａ３の分だけ長くなっている。そのため、本実施形態では、両延長部材（７Ａ、７Ｂ）の軸方向の長さの差分Ａ３がインサート部材５の軸方向の長さＤに対応するように、差分Ａ３と長さＤとを同じにすることで、第１の態様と第２の態様とでクラブ長を一定に保つことができる。
【００８６】
また、インサート部材５の長さＤと両延長部材（７Ａ、７Ｂ）の差分Ａ３とが同じであるため、第１の態様と第２の態様とで撓りに関与する部分の長さは同じである。しかしながら、上記実施形態と同様の原理により、第２の態様に係るゴルフクラブ１００は、シャフト本体２０の下端部２１における拘束部分の長さがＤだけ長くなっているため、第１の態様に比べて撓り難くなっている。なお、この変形例において、上記実施形態と同様の原理により、第１の態様と第２の態様とでネック長も一定に保たれている。
【００８７】
次に、第１調節機構が上記変形例＜５．１＞と同様の方法を採用する例を説明する。図１２は、本変形例に係る２つの態様におけるクラブ長の比較例を示す。
【００８８】
図１２（ａ）では、第１調節機構及び第２調節機構共に第１の態様を取っている。この状態では、係合部材４の上端部４３からシャフト２のグリップエンド２３１側の端までの長さは（Ｌ３＋Ａ１）になっている。なお、ユーザのスイング時に撓りをもたらす範囲は、上記変形例＜５．１＞と同様に、係合部材４の上端部４３からシャフト２のグリップエンド２３１までの部分（長さＬ３）からグリップ２３を除いた範囲である。
【００８９】
一方、図１２（ｂ）では、第１調節機構及び第２調節機構共に第２の態様を取っている。この状態では、シャフト２において、係合部材４の上端部４３からシャフト２のグリップエンド２３１までの部分の長さＬ４は、第１の態様における長さＬ３に比べて、インサート部材５Ａの軸方向の長さＤ１とインサート部材５Ｂの軸方向の長さＤ２との差分Ｄ３だけ短くなっている。一方で、シャフト２のグリップエンド２３１に比較的に軸方向の長さの長い延長部材７が取り付けられることにより、シャフト２の軸方向の長さは、第１の態様と比べて、延長部材７Ａの長さＡ１と延長部材７Ｂの長さＡ２との差分Ａ３の分だけ長くなっている。そのため、本実施形態では、両延長部材（７Ａ、７Ｂ）の軸方向の長さの差分Ａ３が両インサート部材（５Ａ、５Ｂ）の軸方向の長さの差分Ｄ３に対応するように、差分Ａ３と差分Ｄ３とを同じにすることで、第１の態様と第２の態様とでクラブ長を一定に保つことができる。
【００９０】
また、両インサート部材（５Ａ、５Ｂ）の差分Ｄ３と両延長部材（７Ａ、７Ｂ）の差分Ａ３とが同じであるため、第１の態様と第２の態様とで撓りに関与する部分の長さは同じである。しかしながら、上記実施形態と同様の原理により、第２の態様に係るゴルフクラブ１００は、シャフト本体２０の下端部２１における拘束部分の長さがＤ３だけ長くなっているため、第１の態様に比べて撓り難くなっている。なお、この変形例においても、上記実施形態と同様の原理により、第１の態様と第２の態様とでネック長も一定に保たれている。
【００９１】
＜５．３＞
また、例えば、上記実施形態では、係合部材４、インサート部材５、及びシャフト固定部材６はネジによって固定しているが、雄ネジ（凸部）と雌ネジ（凹部）との関係は反対であってもよい。例えば、図１３、図１４Ａ、及び図１４Ｂは、インサート部材５とシャフト固定部材６との間で凸部と凹部とを入れ替えた例を示す。
【００９２】
図１３は、本変形例に係るシャフト固定部材６Ａを例示する。図１４Ａ及び図１４Ｂは、本変形例に係るインサート部材５Ｃを例示する。図１３で例示されるように、本変形例に係るシャフト固定部材６Ａでは、シャフト用凹部６３の上端部側に、下端部側の領域６３２よりも内径の大きい凹部６３１が形成される。そして、この凹部６３１の内周面には、雌ネジ部が形成される。
【００９３】
一方、図１４Ａ及び図１４Ｂで例示されるように、本変形例に係るインサート部材５Ｃでは、下端部５６側に軸方向下方に突出する凸部５７が形成される。凸部５７の外径は凹部６３１の内径に対応するように形成されており、凸部５７の外周面には、凹部６３１に形成された雌ネジ部に螺合する雄ネジ部が形成される。これにより、インサート部材５Ｃの凸部５７（雄ネジ部）をシャフト固定部材６Ａの凹部６３１（雌ネジ部）に螺合させることで、インサート部材５Ｃをシャフト固定部材６Ａに取り付けることができる。このような凸部と凹部との入れ替えは、各部材間で行われてよい。
【００９４】
＜５．４＞
また、例えば、上記実施形態では、係合部材４、インサート部材５、及びシャフト固定部材６はネジによって固定しているが、ネジ以外の固定も可能である。各部材を固定する方法は、着脱自在に固定する方法であれば、実施の形態に応じて適宜選択されてもよい。例えば、図１５に例示されるようにスナップ式の取付機構が設けられてもよい。
【００９５】
図１５は、インサート部材５Ｄとシャフト固定部材６との間でスナップ式の取付機構を利用する例を示す。図１６では、インサート部材５Ｄの下端部に、シャフト固定部材６の凸部６７を径方向外側から挟む環状の突起５８が設けられている。そして、この突起５８の内周面には、シャフト固定部材６の凸部６７と係合する抜け止め用の突片５８１が設けられている。そして、この突片５０１は弾性変形可能な材料で構成される。これにより、ネジ留めによらず、インサート部材５Ｄを固定することができる。この機構は、係合部材とインサート部材との固定に利用してもよい。
【００９６】
＜５．５＞
また、例えば、上記実施形態では、延長部材７は、一体形成されている。しかしながら、延長部材７の構造は、このような例に限定されなくてもよく、実施の形態に応じて適宜選択されてよい。例えば、図１６に例示されるように、延長部材７は、異なる部材を組み合わせることで、形成されてもよい。
【００９７】
図１６は、本変形例に係る延長部材７Ｃを例示する。図１６に例示されるように、延長部材７Ｃの本体部７１Ｃ及び凸部７２Ｃは互いに異なる部材で構成されてもよい。ここで、例えば、本体部７１Ｃは、ゴム、樹脂等の比較的に軟質の材料で構成されてもよい。また、凸部７２Ｃは、金属、樹脂等の、本体部７１Ｃよりも比較的に硬質の材料で構成されてもよい。なお、図１６で例示される延長部材７Ｃの本体部７１Ｃには、六角レンチ等のレンチを挿入するための挿入孔７１１が設けられている。この延長部材７Ｃをシャフト２に取り付ける場合には、まず、ユーザは、挿入孔７１１にレンチを挿入して、凸部７２Ｃの上端部に設けられる六角形等の多角形の凹部（不図示）にレンチを差し込む。そして、ユーザは、レンチを操作することで、延長部材７Ｃをシャフト２に取り付けることができる。
【００９８】
＜５．６＞
また、例えば、上記実施形態では、シャフト２のグリップエンド２３１に設けられる凹部２４（雌ネジ部）に延長部材７の凸部７２（雄ネジ部）を螺合させることで、シャフト２のグリップエンド２３１に延長部材７を取り付けている。しかしながら、シャフト２に延長部材７を取り付ける構造は、このような例に限定されなくてもよく、実施の形態に応じて適宜選択されてもよい。以下では、シャフト２に延長部材７を取り付ける変形例を２つ示す。
【００９９】
まず、図１７Ａ及び図１７Ｂを用いて、固定具２６を用いて、シャフト２Ａに延長部材７Ｄを取り付ける例を示す。図１７Ａは、延長部材７Ｄが取り付けられていない状態のシャフト２Ａの後端部を例示する。また、図１７Ｂは、延長部材７Ｄが取り付けられている状態のシャフト２Ａの後端部を例示する。
【０１００】
図１７Ａ及び図１７Ｂで例示されるシャフト２Ａでは、シャフト本体２０の上端部２２に嵌合部材２５が嵌合している。嵌合部材２５は、上下方向に貫通する貫通孔２５１を有しており、この貫通孔２５１の内周面には後述する固定具２６のネジ部２６２（雄ネジ部）に螺合する雌ネジ部が形成されている。なお、この嵌合部材２５は、例えば、金属、樹脂等で形成される。
【０１０１】
また、グリップ２３は、この嵌合部材２５と共にシャフト本体２０の上端部２２を覆っている。このグリップ２３のグリップエンド２３１には、後述する固定具２６の頭部２６１の形状に対応する凹部２４Ａが設けられている。そして、この凹部２４には、上下方向に貫通する貫通孔２４１が連結している。そのため、グリップエンド２３１は、凹部２４及び貫通孔２４１を介して、グリップ２３の中空部に連通している。
【０１０２】
これに対して、固定具２６は、円柱状の頭部２６１と、当該頭部２６１よりも径の小さい円柱状のネジ部２６２と、を備えている。このネジ部２６２の外周面には、嵌合部材２５の貫通孔２５１の内周面に形成された雌ネジ部に螺合する雄ネジ部が形成されている。そのため、延長部材７Ｄを取り付けていない状態では、固定具２６の頭部２６１がグリップエンド２３１の凹部２４Ａに嵌まり込むまで固定具２６を貫通孔２４１に差し込んで、固定具２６のネジ部２６２を嵌合部材２５の貫通孔２５１に螺合させることができる。これにより、図１７Ａに例示されるように、固定具２６をグリップエンド２３１に取り付けることができる。
【０１０３】
そして、延長部材７Ｄには、本体部７１Ｄ及び凸部７２Ｄにかけて上下方向に貫通する貫通孔が設けられている。この貫通孔は、シャフト２の凹部２４Ａと同径の大径部７１２と、凹部２４Ａの貫通孔２４１と同径の小径部７１３と、を有している。また、凸部７２Ｄは、固定具２６の頭部２６１と同径に形成されている。そのため、延長部材７Ｄの凸部７２Ｄをグリップエンド２３１の凹部２４Ａに差し込むことができる。そして、固定具２６の頭部２６１が延長部材７Ｄの大径部７１２に嵌まり込むまで固定具２６のネジ部２６２を延長部材７Ｄの小径部７１３に差し込んで、固定具２６のネジ部２６２を嵌合部材２５の貫通孔２５１に螺合させることができる。これにより、図１７Ｂに例示されるように、延長部材７Ｄをシャフト２に取り付けることができる。
【０１０４】
なお、図１７Ａ及び図１７Ｂに例示されるように、この変形例では、延長部材７Ｄと取り付けるか否かに関わらず、固定具２６のネジ部２６２は、シャフト本体２０の円柱状の中空部２０１に到達するように構成されている。これにより、固定具２６のネジ部２６２（雄ネジ部）と嵌合部材２５の雌ネジ部とが螺合する長さを適切に確保することができる。
【０１０５】
次に、図１８Ａを用いて、グリップエンド２３１Ｂを凸状に形成し、延長部材７Ｅの下端部を凹状に形成する例を示す。図１８Ａは、本変形例に係るシャフト２Ｂの後端部を例示する。図１８Ａで例示されるシャフト２Ｂでは、シャフト本体２０の中空部２０１が、グリップエンド２３１Ｂ側に開口している。そして、グリップエンド２３１Ｂから所定の領域には、この中空部２０１を径方向外方から囲う環状の外壁部２３２が設けられている。この外壁部２３２の外径は、後述する延長部材７Ｅの外環部７３に対応するように、グリップ２３Ｂの他の領域の外径よりも小さくなっている。なお、この外壁部２３２の外周面には雄ネジ部が形成されていてもよい。
【０１０６】
一方、延長部材７Ｅの下端部側には、軸方向に沿って延びる円環状の外環部７３と、この外環部７３の内側に配置される円環状の内環部７４と、が設けられている。外環部７３がシャフト２Ｂの外壁部２３２に径方向外方から嵌合可能なように、外環部７３の内周面７３１の内径は、外壁部２３２の外径に合わせて形成される。また、内環部７４は、外環部７３よりも軸方向の長さが長くなっており、シャフト２Ｂの中空部２０１に差し込むことが可能になっている。なお、図１８Ａに例示されるように、この内環部７４は、本体部７１Ｅを構成する部材とは異なる部材で構成されてよい。この場合、内環部７４は、本体部７１Ｅの材料よりも硬質な材料が利用される。例えば、内環部７４は、金属、樹脂等で形成される。
【０１０７】
そのため、延長部材７Ｅの内環部７４をシャフト２の中空部２０１に差し込み、延長部材７Ｅの外環部７３をグリップエンド２３１Ｂに形成された外壁部２３２に嵌め込むことで、延長部材７Ｅをシャフト２に取り付けることができる。具体的には、延長部材７Ｅの内環部７４と外環部７３との間にシャフト２Ｂの外壁部２３２が挟み込まれた状態で、延長部材７Ｅはシャフト２に取り付けられる。
【０１０８】
これにより、本変形例では、次のような効果を得ることができる。すなわち、上記実施形態では、図８で例示されるように、延長部材７とシャフト２とを取り付けた場合には、本体部７１と凸部７２との間に形成される段差の幅（左右方向の長さ）に対応する深さの溝が、延長部材７とシャフト２との境目に形成されうる。一方、本変形例では、延長部材７Ｅとシャフト２Ｂとの境目に形成される溝の深さは、グリップ２３の他領域と外壁部２３２との間に形成される段差の幅（左右方向の長さ）に過ぎない。そのため、本変形例では、延長部材７Ｅとシャフト２Ｂとの境目に形成されうる溝の深さを浅くすることができ、延長部材７Ｅを取り付ける部分の見栄えを良くすることができる。
【０１０９】
ここで、このようにシャフト２Ｂを構成すると、シャフト２Ｂのグリップエンド２３１Ｂ側では、外壁部２３２が突起となって上方に突出する。そのため、このような取付機構は、シャフト２Ｂのグリップエンド２３１Ｂに軸方向の長さが相違する複数の延長部材７Ｅのうちの１つを選択的に取り付ける上記＜５．２＞の例で利用するのが好ましい。
【０１１０】
なお、延長部材７Ｅはシャフト２Ｂに着脱可能に構成されればよく、延長部材７Ｅをシャフト２Ｂに固定する機構は実施の形態に応じて適宜選択されてもよい。例えば、シャフト２Ｂの外壁部２３２に雄ネジ部を形成し、延長部材７Ｅの外環部７３の内周面７３１に当該雄ネジ部に螺合する雌ネジ部を形成してもよい。これにより、シャフト２Ｂの外壁部２３２と延長部材７Ｅの外環部７３とを螺合させることで、延長部材７Ｅをシャフト２Ｂに固定することができる。同様に、延長部材７Ｅの内環部７４の外周面に雄ネジ部を形成し、シャフト本体２０のグリップエンド２３１Ｂ側の内周面に雌ネジ部を形成してもよい。
【０１１１】
また、図１８Ｂに例示されるように、延長部材７Ｅの内環部７４を構成する部材は、延長部材７Ｅを上下方向に貫通してもよい。図１８Ｂは、本変形例に係る延長部材７Ｅを例示する。上記のとおり、内環部７４は本体部７１Ｅの材料よりも硬質の材料で形成される。そのため、このように内環部７４を上下方向に貫通させることで、延長部材７Ｅを変形しにくくすることができる。
【０１１２】
＜５．７＞
また、例えば、上記実施形態では、インサート部材５は周方向に２つに分割されるように構成されている。しかしながら、インサート部材５の分割可能な数は、２つに限定されなくてもよく、３つ以上であってもよい。いずれにしても、このようにインサート部材５が分割可能に構成される場合には、インサート部材５をシャフト本体２０に挿通させることなく、径方向から組み立ててシャフト本体２０の外周面を覆うことができる。
【０１１３】
＜５．８＞
また、例えば、上記実施形態では、係合部材４は、環状に形成されている。しかしながら、係合部材４の構成は、このような例に限定されなくてもよく、例えば、インサート部材５と同様に分割可能に構成されてもよい。
【０１１４】
＜５．９＞
また、例えば、上記実施形態では、１つの部材で延長部材７が形成されている。しかしながら、延長部材を構成する部材の数は１つに限定されなくてもよく、複数の部材で１つの延長部材を形成するようにしてもよい。例えば、上記実施形態に係る延長部材７同士を連結可能に構成することで、当該延長部材７を１つの部材として扱って、複数の部材で１つの延長部材を形成することができる。
【０１１５】
なお、延長部材７同士を連結する構造は、実施の形態に応じて適宜選択可能である。例えば、延長部材７の上端部に、シャフト２のグリップエンド２３１に形成されている凹部２４と同様の凹部を設けることで、複数の延長部材７を連結することが可能になる。これによって、複数の部材で１つの延長部材を形成してもよい。
【０１１６】
＜５．１０＞
また、例えば、上記実施形態では、シャフト用凹部６３は、シャフト固定部材６の軸線（図５の上下方向）に沿って延びるように形成されている。しかしながら、シャフト用凹部６３の形状はこのような例に限定されなくてもよく、実施の形態に応じて適宜設計されてもよい。例えば、シャフト用凹部６３は、シャフト固定部材６の軸線から傾斜して延びるように形成されてもよい。これにより、シャフト本体２０の軸心Ｓ（図１及び図２参照）をシャフト固定部材６の軸線から傾斜して延びるように固定することができる。
【０１１７】
＜５．１１＞
また、例えば、上記実施形態に係るゴルフクラブヘッド１は中空構造を有する。そのため、このゴルフクラブヘッド１は、２以上の部材を接合することにより製造されてもよい。すなわち、ゴルフクラブヘッド１は、中空部に通じる１または２以上の開口が形成されたヘッド本体と、開口を塞ぐ別部材とを接合することで製造されてもよい。例えば、クラウン部１２及びフェース部１１をそれぞれ別部材で構成して、これらをヘッド本体と組み合わせることで、ヘッド１を構成することができる。また、ソール部１３又はサイド部１４に開口を設けたヘッド本体を形成し、この開口を別部材で塞ぐことで、ヘッド１を構成することもできる。そして、このようなヘッド本体は、例えば、公知のロストワックス精密鋳造法等の鋳造によって製造することができる。
【符号の説明】
【０１１８】
１…ゴルフクラブヘッド、１００…ゴルフクラブ
１１…フェース部、１２…クラウン部、１３…ソール部、１４…サイド部、
２…シャフト、
２０…シャフト本体、２０１…中空部、２１…下端部（先端部）、２２…上端部、
２３…グリップ、２３１…グリップエンド（後端部）、２３２…外壁部、
２４…凹部、２４１…貫通孔、２５…嵌合部材、２５１…貫通孔、
２６…固定具、２６１…頭部、２６２…ネジ部、
３…ホーゼル部、
３１…差込孔（開口）、３２…第１径部、３３…第２径部、３４…開口部、３４１…隔壁、
３５…第３径部、３６…上端部、３７…下端部、
４…係合部材、
４１…貫通孔、４２…凹部、４３…上端部、４４…下端部、４５…外周面、
４４１…端面、
５…インサート部材、５０…インサート片、
５１…凸部、５２…本体部、５３…貫通孔、５４…凹部、５５…上端部、５６…下端部、
５７…凸部、
６…シャフト固定部材、
６１…第１円筒部、６１１…端面、
６２…第２円筒部、６２１…突条、
６３…シャフト用凹部、６３１…第１径部、６３２…第２径部、
６４…固定具用凹部、６５…上端部、６６…下端部、６７…凸部、
７…延長部材、７１…本体部、７１１…挿入孔、７１２…大径部、７１３…小径部、
７２…凸部、７３…外環部、７３１…内周面、７４…内環部、
８…インサート部材、８１…スリット、
９…固定具、９１…頭部、９２…ネジ部、９３…ワッシャ
【図１】
0006392009.tif 000002
【図２】
0006392009.tif 000003
【図３】
0006392009.tif 000004
【図４】
0006392009.tif 000005
【図５】
0006392009.tif 000006
【図６】
0006392009.tif 000007
【図７Ａ】
0006392009.tif 000008
【図７Ｂ】
0006392009.tif 000009
【図８】
0006392009.tif 000010
【図９】
0006392009.tif 000011
【図１０】
0006392009.tif 000012
【図１１】
0006392009.tif 000013
【図１２】
0006392009.tif 000014
【図１３】
0006392009.tif 000015
【図１４Ａ】
0006392009.tif 000016
【図１４Ｂ】
0006392009.tif 000017
【図１５】
0006392009.tif 000018
【図１６】
0006392009.tif 000019
【図１７Ａ】
0006392009.tif 000020
【図１７Ｂ】
0006392009.tif 000021
【図１８Ａ】
0006392009.tif 000022
【図１８Ｂ】
0006392009.tif 000023